(57)【特許請求の範囲】
【請求項１】
ユーザの皮膚からひげを剃るためのかみそりであって、
（ａ）それぞれ刃先を有するとともに前記刃先が互いに平行に延びて配置された少なくとも２枚の刃と、
（ｂ）前記刃先の前側に位置する前端皮膚ガイドであって、ユーザの皮膚に接触するために少なくとも１つの全部接触表面を提供するように構成された前端皮膚ガイドと、
（ｃ）前記刃先同士の間に位置し、少なくとも１つの中間接触表面を提供するように構成された中間皮膚ガイドと、
（ｄ）前記刃先の後側に位置する後端皮膚ガイドであって、ユーザの皮膚に接触するために少なくとも１つの後部接触表面を提供するように構成された後端皮膚ガイドと、
を含む刃アセンブリを具備し、
前記前部接触表面、前記中間接触表面および前記後部接触表面は、凸状に湾曲した接触輪郭面にほぼ沿うように設けられ、前記刃アセンブリがユーザの皮膚に押しつけられたときに、該皮膚が少なくとも前記刃先に隣接する領域において前記接触輪郭面に沿って延び、前記少なくとも２つの刃先の全体が前記皮膚に対して同時にひげそり作用を行えるように構成されており、
前記少なくとも２枚の刃のうちの、第１の刃の刃先を通る前記接触輪郭面に対する接線により第１の切断方向が定義され、第２の刃の刃先を通る前記接触輪郭面に対する接線により第２の切断方向が定義され、前記第２の切断方向が前記第１の切断方向から少なくとも１５度回転して位置しており、
前記第１の刃の切断平面が前記第１の切断方向に沿って延びるように前記第１の刃が配置され、前記第２の刃の切断平面が前記第２の切断方向に沿って延びるように第２の刃が配置されるように構成された凸状刃アセンブリを備えたかみそり。
【請求項２】
前記凸状に湾曲した接触輪郭面は、円筒面形状である請求項１記載のかみそり。
【請求項３】
前記円等面形状は約４ｍｍ〜約３０ｍｍの半径を有する請求項２記載のかみそり。
【請求項４】
前記刃を２枚有して構成され、前記円筒面形状は約４．５ｍｍ〜約７ｍｍの半径を有する請求項２記載のかみそり。
【請求項５】
前記刃を３枚以上有して構成され、前記円筒面形状は約６ｍｍ〜約１５ｍｍの半径を有する請求項２記載のかみそり。
【請求項６】
円筒形状である前記接触輪郭面は、少なくとも約３０度の円筒角度範囲に対応する形状である請求項２記載のかみそり。
【請求項７】
円筒形状である前記接触輪郭面は、少なくとも４５度の円筒角度範囲に対応する形状である請求項２記載のかみそり。
【請求項８】
前記第２の切断方向が前記第１の切断方向から少なくとも３０度回転して位置している請求項１記載のかみそり。
【請求項９】
前記前端皮膚ガイドは、前記刃先に隣接し且つその刃先線が延びる方向に沿って間隔を置いて設けられた複数の前部接触リッジからなり、前記複数の前部接触リッジの外面により前記前部接触表面が形成される請求項１記載のかみそり。
【請求項１０】
前記中間皮膚ガイドは、前記第１および前記第２の刃の刃先間に隣接して位置し且つ刃先線が延びる方向に沿って互いに間隔をおいて設けられた複数の中間接触リッジからなり、前記複数の中間接触リッジの外面により前記中間接触表面が形成され、
前記複数の中間接触リッジは前記複数の前部接触リッジに対して刃先線の延びる方向に互い違いに配置される請求項９記載のかみそり。
【請求項１１】
前記刃アセンブリには、少なくとも前記刃の一方と、前記前端皮膚ガイドと前記後端皮膚ガイドとの少なくとも一方と、の間に形成された空間からなる少なくとも１つの排水チャネルが形成される請求項１記載のかみそり。
【請求項１２】
ハンドルをさらに具備し、前記刃アセンブリは、該ハンドルに取り付けられるように構成された着脱自在のカートリッジとして実施される請求項１記載のかみそり。
【請求項１３】
前記刃の外面側には前記刃先を通る研削平面が形成されており、前記刃先位置において前記研削平面が前記切断方向に対して負の迎え角を有していることを特徴とする請求項１記載のかみそり。
【発明の詳細な説明】
【０００１】
発明の分野および背景
本発明は、手動かみそりの関し、特に、凸状刃アセンブリを備えたかみそりに関する。
【０００２】
手動ひげそりのために安全刃構成を提供することが知られている。安全刃構成は、ひげそり中に刃が皮膚を切ることができないように、前端および後端皮膚接触表面が皮膚表面に対して１枚またはそれ以上の刃の位置を規定する構造物である。具体的には、前端および後端表面は一般に同一平面上にあり、刃先はこの平面と平行した、またはすぐ下のレベルに設定される。
【０００３】
ひげそりの方向に皮膚の表面に加えられるわずかな張力が、ひげを立てるのを助けることによってひげそりの質を大いに改良する。Ｇｉｌｌｅｔｔｅ  ＩＩ（登録商標）を初めとする多くのかみそりの設計は、そのような効果を作るよう意図している。この効果をさらに改良する試みが、様々な質感のストリップ等を含む設計を含んだ。しかし、これらは、皮膚との摩擦を増加し、刺激を発生させる可能性がある。
【０００４】
本発明の一定の態様に外見上が類似したＨｉｓｋｅｙに付与された米国特許第１,２２６,６１４号を参照する。Ｈｉｓｋｅｙ特許は、円筒形本体に展開された１−２０のピッチでらせん刃構成を提供することによって、「熟練した理容師のドローカット」として説明されるものを真似ることを意図している。図１〜６の第１の実施態様は１枚の刃しか有さず、一方、第２の実施態様は、「ひげを剃られる表面上にひかれるときに回転するように設計された」円筒形本体のまわりに等しく間隔をおいた４枚の刃を有する（２頁１０４〜１０６行目）。
【０００５】
Ｈｉｓｋｅｙ特許の第２の実施態様は、複数の刃を使用しながら、その長さ方向全体に沿って同時に作用的な関係に複数の刃をもたらすことができないことが明らかであることに注意しなければならない。具体的には、Ｈｉｓｋｅｙ特許の図８は、円筒形本体のまわりに９０度の間隔でＨｉｓｋｅｙの刃が分配されることを明らかにし、同時操作を妨げることは明らかである。事実、刃のらせんピッチにより、Ｈｉｓｋｅｙ装置は、１枚の刃でさえ全体的に１度に作用することができないことは明らかである。
【０００６】
したがって、皮膚との摩擦を増加させずにユーザに皮膚を伸ばすことによってひげそり作用を高めるかみそりの必要性がある。
【０００７】
発明の開示
本発明は、凸状刃アセンブリを使用するかみそりである。
【０００８】
本発明の教示によると、ユーザの皮膚からひげを剃るためのかみそりが提供され、かみそりは、（ａ）それぞれ刃先を有するとともに前記刃先が互いに平行に延びて配置された少なくとも２枚の刃と、（ｂ）前記刃先の前側に位置する前端皮膚ガイドであって、ユーザの皮膚に接触するために少なくとも１つの前部接触表面を提供するように構成された前端皮膚ガイドと、（ｃ）前記刃先同士の間に位置し、少なくとも１つの中間接触表面を提供するように構成された中間皮膚ガイドと、（ｄ）前記刃先の後側に位置する後端皮膚ガイドであって、ユーザの皮膚に接触するために少なくとも１つの後部接触表面を提供するように構成された後端皮膚ガイドとを含む刃アセンブリを具備する。前記前部接触表面、前記中間接触表面および前記後部接触表面は、凸状に湾曲した接触輪郭面（プロファイル面）にほぼ沿うように設けられ、前記刃アセンブリがユーザの皮膚に押しつけられたときに、該皮膚が少なくとも前記刃先に隣接する領域において前記接触輪郭面に沿って延び、前記少なくとも２つの刃先の全体が前記皮膚に対して同時にひげそり作用を行えるように構成されており、前記少なくとも２枚の刃のうちの、第１の刃の刃先を通る前記接触輪郭面に対する接線により第１の切断方向が定義され、第２の刃の刃先を通る前記接触輪郭面に対する接線により第２の切断方向が定義され、前記第２の切断方向が前記第１切断方向から少なくとも１５度回転して位置しており、さらに、前記第１の刃の切断平面が前記第１の切断方向に沿って延びるように前記第１の刃が配置され、前記第２の刃の切断平面が前記第２の切断方向に沿って延びるように第２の刃が配置されるように構成されている。
【０００９】
本発明のさらなる特徴によると、前記凸状に湾曲した接触輪郭面は、円筒面形状の少なくとも一部に対応する。
【００１０】
本発明のさらなる特徴によると、円筒形状である前記接触輪郭面は、少なくとも約３０度の、好ましくは約４５度の円筒角度範囲に対応する形状である。
【００１１】
本発明のさらなる特徴によると、好ましくは、前記第２の切断方向が前記第１切断方向から少なくとも３０度回転して位置している。
【００１２】
本発明のさらなる特徴によると、前記前端皮膚ガイドは、前記刃先に隣接し且つその刃先線が延びる方向に沿って間隔をおいて設けられた複数の前部接触リッジからなり、前記複数の前部接触リッジの外面により前記前部接触表面が形成される。
【００１３】
本発明のさらなる特徴によると、前記中間皮膚ガイドは、前記第１および前記第２の刃の刃先間に隣接して位置し且つ刃先線が延びる方向に沿って間隔をおいて設けられた複数の中間接触リッジからなり、前記複数の中間接触リッジの外面により前記中間接触表面が形成され、前記複数の中間接触リッジは前記複数の前部接触リッジに対して刃先線の延びる方向に互い違いに配置される。
【００１４】
本発明のさらなる特徴によると、刃アセンブリには、少なくとも刃の一方と、前端皮膚ガイドと後端皮膚ガイドとの少なくとも一方と、の間に形成された空間からなる少なくとも１つの排水チャネルが形成される。
【００１５】
本発明のさらなる特徴によると、前記刃の外面側には前記刃先を通る研削平面が形成されており、前記刃先位置において前記研削平面が前記切断方向に対して負の迎え角を有している。
【００１６】
好適な実施態様の説明
本発明は、凸刃アセンブリを使用するかみそりである。
【００１７】
本発明によるかみそりの原理および操作は、図面および添付の説明を参照するとよりよく理解することができる。
【００１８】
図面を参照すると、図１〜３は、全体として参照符号１０が付される刃アセンブリを示し、本発明の教示に従って作られ作用するかみそりに使用される。一般に、刃アセンブリ１０は、少なくとも２枚の、刃１２を有し、各々が、刃先１４と、刃先１４の前に位置する前端皮膚ガイド１６と、刃先１４の後ろに位置する後端皮膚ガイド１８と、を提供する。皮膚ガイド１６、１８は、それぞれ、ユーザの皮膚に接触するために、１つまたはそれ以上の前部接触表面２０および１つまたはそれ以上の後接触表面２２を提供する。これらの前部および後部の接触表面２０、２２は、実質的に、凸状に湾曲した接触輪郭面２４に沿うように設けられており、刃アセンブリがユーザの皮膚２６に対して押されるときに、皮膚が伸びて接触輪郭面２４に従うように構成されている（図３）。
【００１９】
刃アセンブリ１０はユーザの皮膚を伸ばすのに効果的であり、それによってひげを立て、皮膚の自然弾性を使用することによってひげそりの質を改良することが理解されるであろう。刃アセンブリ１０は、いずれの摩擦効果にも依存せず、それによって、不必要な皮膚の刺激を回避する。
【００２０】
刃アセンブリ１０の特徴をより詳細に説明する前に、本発明の様々な実施の形状を説明するのに使用される一定の用語を規定することが有用であろう。この目的のために、図８を参照する。最初に、各刃１２は、所与の研削角度で刃を研削することによって形成された刃先１４を有する。刃先１４は一般に線状であり、刃の延在方向を規定する。刃の外側研削表面は、刃先１４を通る研削平面３０を規定する。
【００２１】
刃先１４を通る第２の平面は、「切断方向」３２によって規定され、これは、刃のまわりの皮膚接触表面の形状によって要求されるように、ユーザの皮膚に対する刃先の運動方向である。具体的には、刃１２の切断方向３２は、刃先を通る接触輪郭面２４に対する接線として識別される。刃先１４を含み切断方向３２に平行な平面は「切断平面」と称される。研削平面３０と切断方向３２との間の角度αは、刃アセンブリ１０の刃１２の「迎え角」と称され、図８に例示された例では、負の値として規定される。
【００２２】
「前」または「前端」および「後ろ」または「後端」等の用語は、もっとも一般的な意味で、一定の要素または位置と刃先１４との間の空間関係を規定するのに使用される。したがって、研削平面３０への直交突起が、刃先１４の刃１２の本体から離れた側にあるならば、要素または位置は、刃先の「前」または「前端」にあるとみなされ、一方、研削平面３０への直交突起が、刃先１４の刃１２の本体と同一の側にあるすべての位置は、刃先の「後ろ」または「後端」にあると称される。
【００２３】
次に刃アセンブリ１０の特徴を詳細に説明すると、事実上凸状に湾曲した接触輪郭面２４は、事実上の円筒の少なくとも一部に対応することが好ましい。曲率半径の好ましい範囲は、約４ｍｍ〜約３０ｍｍの間である。最適な曲率半径は、使用される刃の数の関数である。単一の刃（図１４Ａ）の場合、最適な曲率半径は、好ましくは約４ｍｍ〜約６ｍｍの間である。２枚刃（図１４Ｂ）の場合は、約４．５ｍｍ〜約７ｍｍの間が好ましい。３枚刃の場合は、最適な曲率半径は、好ましくは約６ｍｍ〜約１５ｍｍの間である。約３０ｍｍを超える曲率半径は一般に、皮膚の効果的な伸長を発生させるのに十分な凸状ではない。
【００２４】
実質的に円筒形の接触表面を使用すると、ユーザの皮膚に対してかみそりが保持される角度に対して相対不感受性の利点を加える。皮膚は、刃アセンブリの所与の角度範囲のまわりの接触輪郭面の曲率に従うため、皮膚表面は、刃アセンブリの隣接する部分に常に接している。結果として、１つまたはそれ以上の刃が、広い範囲の角度に渡って皮膚表面に対して有効切断関係のままである。したがって、接触表面は、事実上の円筒の少なくとも約３０度に及ぶことが好ましく、最も好ましくは少なくとも約４５度である。特により小さい曲率半径の場合（約１０ｍｍ未満）、これは、依然として刃と皮膚との間に有効切断形状を提供する保持角度の対応する範囲を提供する。皮膚表面との適切な整列配置を確実にするために大半の従来の刃アセンブリで必要とされる旋回機構が、典型的に必要ではないということになる。
【００２５】
刃アセンブリは、一定の好適な実施態様では、少なくとも２枚の、または例示された例では、３枚またはそれ以上の刃１２を使用しており、１枚の刃の後ろに次の刃が位置決めされる。複数の刃を使用することによって、後述されるように、本発明の凸状接触輪郭面との特定の相乗効果を有する。
【００２６】
参照が便利なように、例示された３枚の刃は、参照符号１２ａ、１２ｂおよび１２ｃによって図２に個別に識別される。刃は、接触輪郭面２４のまわりの異なる位置にあるため、各刃１２ａ、１２ｂおよび１２ｃは、それぞれ、３２ａ、３２ｂおよび３２ｃと称される異なる切断方向を有する。接触輪郭面の曲率および刃の間隔あけによって、隣接する刃の切断方向は、ほんの２、３度から数十度まで変わってもよい。好ましくは、これらのパラメータおよび／または刃の数は、少なくとも２枚の外側の刃、この場合は刃１２ａおよび１２ｃの切断方向が、互いに対して少なくとも約１５度回転し、もっとも好ましくは少なくとも約３０度回転することを確実にするように、選択される。これが、広い範囲の角度にわたって１枚またはそれ以上の刃が皮膚表面に対して有効切断関係のままであるため、刃アセンブリ１０が正しく作動する保持角度の範囲をさらに広げる。
【００２７】
さらに、図３に明らかであるように、刃１２ａ、１２ｂおよび１２ｃは、実質的に少なくとも２枚の刃の全体が、ユーザの皮膚に対して同時に作用的であるように、展開されることが好ましい。上述のように、本発明の凸状接触輪郭面内に複数の刃を使用することは、独特の相乗効果を提供し、すなわち、凸状輪郭面のまわりの皮膚を伸ばしながら、同時に複数刃の構成を使用することによって切断作用を高める。
【００２８】
２枚またはそれ以上の刃１２が使用されるときに、刃アセンブリ１０は一般に、刃同士の間に位置する中間皮膚ガイド３４も有する。中間皮膚ガイド３４は、ユーザの皮膚２６に接触するように、事実上凸状に湾曲した接触輪郭面２４上にある１つまたはそれ以上の中間接触表面３６を提供するように構成される。
【００２９】
次に、皮膚ガイド１６、１８および存在する場合は３４の構造に移ると、これらは、従来の刃アセンブリの類似要素にほぼ同様である形態の範囲を仮定するが、主に凸状形態であることが異なる。もっとも簡単な実施では、要求された形態の滑らかな表面の接触表面を提供する。しかし、一定の好適な実施において、少なくとも前端の皮膚ガイド１６は、刃先１４に実質的に隣接し且つその長さ方向に沿って間隔をおいた前部接触リッジとして実施される多くの前部接触表面２０を提供するように構成される。
【００３０】
前部接触リッジ２０は、特に有利な安全刃構成を提供する。「安全刃」と言う表現は、このコンテクストでは、皮膚を切ることなく皮膚の規則的な領域に直接接触して引くことができるように、皮膚ガイドが皮膚表面に対して刃の角度および位置を規定する切断形状を表すように使用される。いずれの露出された刃装置と同様に、皮膚表面が局所的に不規則であることによって、皮膚が外向きに突出しているところで小さく切れることになる。しかし、安全刃構造が、そのように切れることが最小の深さに制限されることを確実にする。
【００３１】
この場合、前部接触リッジ２０は、刃が皮膚を切るのを防ぐように、刃先に沿って間隔をおいた位置で切断平面よりわずかに上にあるように構成される。上記に参照された好適な実質的に円筒形な接触輪郭面において、これは、刃１２のわずかな下降に等しく、そのため、刃先１４は接触輪郭面のすぐ下にある。
【００３２】
間隔をおいたリッジのこの構造の効果は、皮膚のわずかに間隔をおいた小さな領域を、刃の切断平面の上へ上げることである。リッジの間隔あけは、皮膚の可撓性によって、リッジ２０によって直接支持されていない領域が、皮膚を切ることは防ぎながら、リッジ同士の間で刃の中間部分に接触することができるように、選択される。
【００３３】
前部接触リッジ２０は、刃先１４に「実質的に隣接する」位置にあると記載されている。このコンテクストにおいて、ユーザの皮膚に対して刃の安全で効果的な整列配置を維持するために刃先に十分近くに延在するリッジのいずれの構成が、ここでは「実質的に隣接する」と説明される。実際に、リッジと刃先との間の間隔あけが、数ミリメートルを超えないことが好ましく、典型的にはもっと小さい。リッジと刃先とが直接接触するように、所望の間隔あけに低限はない。
【００３４】
安全構成の効果およびひげそりの近さは、切断形状を規定する異なるパラメータを変えることによって調節することができる。例として、いくつかのパラメータの典型的な範囲は下記の通りである。すなわち、切断平面上の皮膚ガイドリッジの高さは典型的に、約０．０５〜約１ｍｍである。刃先に沿って測定された隣接するリッジ同士の間の間隔あけは典型的に、約１．５〜約５ｍｍである。リッジと刃先との間の間隔あけは典型的に、約１ｍｍ未満である。
【００３５】
中間皮膚ガイド３４が使用される場合、中間接触表面３６は、次の刃先に実質的に隣接し且つこの長さ方向に沿って間隔をおいた多くの中間接触リッジとして実施されることが好ましい。この場合、刃の長さ方向に沿った中間接触表面３６の位置は、前部接触リッジ２０の位置に対して互い違いに配置されることが好ましい。これは、１回のストロークで刃アセンブリ１０によって一掃される幅全体にわたって均一なひげそりを確実にする助けをする。
【００３６】
構造的に、様々な皮膚ガイドがすべて一体的に形成されるかまたは剛性的に相互接続されて、統合化構造物を形成することが好ましい。ここに例示された場合では、この構造物は、全体的にほぼ円筒形の形状を有する。皮膚に接触する領域に隣接する円筒形の部分（すなわち、約９０度までの角度範囲）は、かみそりが保持される角度が変わると機能的になり、一方、皮膚から離れた円筒の部分は、図３に見られるように、機能的には重要ではないことは明らかである。中間皮膚ガイド３４は典型的に、少なくとも刃アセンブリ１０の側部近傍で構造物の残りに取り付けられ、刃の長さ方向に沿った１つまたはそれ以上の位置で刃保持構造物にも取り付けられる。刃アセンブリ構造物は、刃１２の上に重なるように、各端に取り付けられた保持リング４４によって統合されることが好ましい。説明を簡単にするために、刃アセンブリ１０は、図１では一方の保持リングは取り除かれて示される。
【００３７】
刃アセンブリ１０の別の好適な特徴は、各刃１２と刃のすぐ前の皮膚ガイドとの間に形成された多くの排水チャネル４０が形成されることである。皮膚ガイドが、上述の好適なリッジ形態を有する場合、チャネル４０は主に刃の下にあり、隣接するリッジ同士の間の空間を経由して外部に開口する。図１０〜１３に関連して後述されるように、後部開口の実施において、チャネル４０は、アセンブリ１０の後部に直接開いていることが好ましい。図１〜９のローラー形状の実施において、各刃に隣接するチャネル４０は、中央の中空４２に対して開口していることが好ましい。いずれの場合にも、結果として得られた構造物は、使用後、水で流すことによって容易にきれいにすることができる。
【００３８】
刃アセンブリ１０は、幅広い範囲の材料から作ることができることが理解される。刃自体は典型的に、鋼、または、この目的に適切であると知られている他の合金から作られる。刃アセンブリ１０の他の部分に適切な材料の例として、様々な種類の金属および金属合金、プラスチックおよび他のポリマー材料、および、それらのいずれの組み合わせが挙げられるが、それらに限定されない。
【００３９】
図４〜１１に移ると、今度は、刃アセンブリ１０の多くの変形例が説明される。変形例の各々は、大部分が、上述の刃アセンブリ１０に類似している。簡潔のために、各変形例が刃アセンブリ１０とは異なる特徴のみを説明する。
【００４０】
まず図４を見ると、刃アセンブリ１０の第１の変形例５０が示される。刃アセンブリ５０は、多くの平坦な接触表面を使用して、凸状に湾曲した接触輪郭面２４の部分に近似する点で、刃アセンブリ１０とは異なる。この近似は、全体的効果が、刃先の領域にあるユーザの皮膚に対応する凹状湾曲を生成するように形成された凸状湾曲である限り、受け入れ可能である。好適な実施態様の説明および特許請求の範囲のために、この構造物も、実質的に、事実上凸状に湾曲した接触輪郭面上にあるように記載される。
【００４１】
図５に移ると、これは、刃アセンブリ１０の第２の変形例５４を示す。刃アセンブリ５４は、刃アセンブリ１０の２側面版であり、前部および後部サブアセンブリ５６、５８を提供し、各々が１枚またはそれ以上の刃を有する。各サブアセンブリは、上述の刃アセンブリ１０の実質的にすべての特徴を含む。この構成によってユーザは、かみそりを持ち変えることなく、剃る方向を変えることができ、また、顔の一方の側から他方の側へ移ることができる。
【００４２】
図６〜８に移ると、刃アセンブリ１０の第３の変形例６０が示される。刃アセンブリ６０は、中間皮膚ガイド３４が省略される点で刃アセンブリ１０とは異なる。その代わりに、各刃の形状は、安全構成を提供するように固定される。
【００４３】
具体的には、図８を参照すると、各刃、および、特に前端皮膚ガイド１８に隣接しない刃は、上述のように、負の迎え角αを有するように位置決めされる。典型的に、−０．５度ほどの小さい角度は、刃の正しい垂直位置決めとともに、刃が皮膚を切らないことを確実にするのに十分である。事実、負の迎え角を使用は一般に、本発明の他の実施態様の好適な切断形状でもあり、保護的皮膚ガイドが使用されるときでさえ、追加の予防措置として固有の安全刃構成を提供する。
【００４４】
図９に移ると、刃アセンブリ１０の第４の変形例６２が示される。このコンテクストでは、本発明の凸状に湾曲した接触輪郭面は均一である必要はなく、刃アセンブリの前部に沿って連続して凸状でさえなくともよい。したがって、刃アセンブリ６２は二重円筒型形状を呈し、２枚の刃１２が複雑な接触輪郭面６４に沿って異なる点に位置する。接触輪郭面６４は、中間凹状７０によって結合された２つの凸状に湾曲した点６６、６８を含む。各刃は、局所的に凸状に湾曲した接触輪郭面を規定する前端皮膚ガイドと後端皮膚ガイドとの間に設定されるため、刃アセンブリ６２の構造および操作は、上述の刃アセンブリ１０のものと同様のままである。
【００４５】
図１０および１１に移ると、刃アセンブリ１０の第５の変形例７２が示される。先に述べたように、刃のまわりの領域以外の刃アセンブリ１０の円筒形形態は、かみそりの操作には重要ではない。したがって、刃アセンブリ７２は、刃アセンブリ後部開口の実施であり、それ以外は、刃アセンブリ１０の構造物にきわめて類似している。この後部開口の実施は、特に、比較的大きな曲率半径が好ましい場合に、特に小型化の利点を有する。
【００４６】
図１２に移ると、上述の刃アセンブリのすべての実施は、いずれの種類の手動かみそりに使用することができることに注意しなければならない。例として、図１２は、ハンドル７４に取り付けられた刃アセンブリ７２を示す。好ましくは、刃アセンブリは、従来の機構によってハンドルに着脱自在に取り付けられるように構成された着脱自在のカートリッジとして実施される。任意に、ハンドルへのヒンジ接続によって、または、ハンドル自体内の一体型ヒンジ部分（図示せず）によって、旋回運動が提供されてもよい。
【００４７】
最後に、図１３を簡単に参照すると、本発明は、いずれの所望の種類の刃を使用して実施してもよいことを認めなければならない。例として、上述の実施はＬ構成刃を使用した。しかし、フラット構成刃等の他の種類の刃も、同様に使用されてもよい。したがって、図１３は、全体として刃アセンブリ７２に類似するが、フラット構成刃を使用する刃アセンブリ７６を示す。
【００４８】
上述の説明は、例として作用することのみ意図されており、本発明の精神および範囲内で他の多くの実施態様が可能であることを理解すべきである。
【図面の簡単な説明】
本発明は、添付の図面を参照して、例としてのみ、説明される。
【図１】  本発明の教示によって作られ作用する、かみそりの刃アセンブリの斜視図である。
【図２】  図１の刃アセンブリを通って取られた断面図である。
【図３】  ユーザの皮膚からひげを剃るために使用される図１の刃アセンブリの概略断面図である。
【図４】  図１の刃アセンブリの第１の変形例の断面図である。
【図５】  図１の刃アセンブリの第２の変形例の断面図である。
【図６】  図１の刃アセンブリの第３の変形例の斜視図である。
【図７】  図６の刃アセンブリを通って取られた断面図である。
【図８】  図６の刃アセンブリに使用される好適な切断形状の概略図である。
【図９】  図１の刃アセンブリの第４の変形例の断面図である。
【図１０】  図１の刃アセンブリの第５の変形例の斜視図である。
【図１１】  図１０の刃アセンブリを通って取られた断面図である。
【図１２】  図１０の刃アセンブリを使用するかみそりの側面図である。
【図１３】  代替型の刃を使用する実施を示す図１１に類似した図である。
【図１４ａ】  １枚または２枚の刃を使用する図１の刃アセンブリ代替実施を通って取られた概略断面図である。
【図１４ｂ】  １枚または２枚の刃を使用する図１の刃アセンブリ代替実施を通って取られた概略断面図である。
【図１】
0003814145.tif 000002
【図２】
0003814145.tif 000003
【図３】
0003814145.tif 000004
【図４】
0003814145.tif 000005
【図５】
0003814145.tif 000006
【図６】
0003814145.tif 000007
【図７】
0003814145.tif 000008
【図８】
0003814145.tif 000009
【図９】
0003814145.tif 000010
【図１０】
0003814145.tif 000011
【図１１】
0003814145.tif 000012
【図１２】
0003814145.tif 000013
【図１３】
0003814145.tif 000014
【図１４ａ】
0003814145.tif 000015
【図１４ｂ】
0003814145.tif 000016